(57)【要約】      （修正有）【課題】部品点数が少なくて厚みを抑えた駆動装置を備えた車両用電動シートのリクライニング駆動装置を提供する。【解決手段】乗員がシートバックを調節したい場合に、車両用電動シートに設けられている操作スイッチを操作すると、モータに通電して伝達ギヤ４が回転駆動される。伝達ギヤ４が駆動されると、ハウジング５のギヤ収納部５ａ内で２段目ギヤ３ｂと噛み合っている第２の駆動ギヤ３が回転することになる。第２の駆動ギヤ３が回転すれば１段目ギヤ３ａが回転することとなり、それによって１段目ギヤ３ａと噛み合っている第１の駆動ギヤ２が回転し、シャフト１０４を回動させてリクライニング装置を操作する。【選択図】図２
2011031733.tif 000002
【特許請求の範囲】
【請求項１】
乗員が着座するシートクッションと、
前記シートクッションに対して傾動可能なシートバックと、
前記シートクッションのブラケットと、前記シートバックのブラケットとの間に配設され、前記シートバックの角度を保持するリクライニング装置と、
前記リクライニング装置に挿通され、該リクライニング装置を駆動するシャフトを有し、
前記シャフトが挿通される挿通穴が穿設され、前記シャフトを回動させることができる第１の駆動ギヤと、
前記リクライニング装置を駆動するモータの回転を伝達する伝達ギヤと、
前記第１の駆動ギヤと噛み合い、前記伝達ギヤと噛み合っていることにより回動する第２の駆動ギヤと、
前記第１及び第２の駆動ギヤ、伝達ギヤを覆うように、前記シートバックのブラケット及び前記シートクッションのブラケットの何れか一方に取り付けるハウジングを備え、
前記第２の駆動ギヤは、前記シートバックのブラケット及び前記シートクッションのブラケットの何れか一方と前記ハウジングとの各部品に設けられた軸受に軸支されることを特徴とする車両用電動シートのリクライニング駆動装置。
【発明の詳細な説明】
【技術分野】
【０００１】
本発明は、電気で駆動される車両用電動シートのリクライニング駆動装置に関するもので、特にその駆動ギヤに関するものである。
【背景技術】
【０００２】
従来より、モータを利用して電動シートのリクライニングを駆動させるものとしては、例えば特許文献１に記載されているようなものがある。特許文献１に記載されているリクライニング装置は、特許文献１の符号を用いて説明すると、ラウンドタイプのリクライナー（２）が備えられており、リクライナー（２）は、アーム（１）側のシェル（３ａ）の内周面に内歯を形成してアウターギヤとなすと共に、その内歯に係合する外歯を形成したインナーギヤ（１８）をシェル（３）に固定し、ホルダーリング（１９）でシェル（３，３ａ）を突き合わせ、その外周部を支持することで少歯数差ハイポサイクロイドギヤが構成されている。シェル（３ａ）の中心孔には、センターブッシュ（１２）が回動可能に支持されており、センターブッシュ（１２）に設けた偏心カム部がインナーギヤ（１８）の中心孔に挿入されている。そのため、シェル（３ａ）とシェル（３）の中心は偏心している。
【０００３】
センターブッシュ（１２）の中心孔に挿入された駆動シャフト（１３）を、モータユニット（５）で回転させることで、センターブッシュ（１２）の偏心カム部が偏心回転し、インナーギヤ（１８）とアウターギヤの噛合いがずれていくことで、シェル（３）に対してシェル（３ａ）が回動する。これにより、ベースプレート（４）に対するアーム（１）の傾きが変化することになる。
【０００４】
また、駆動シャフト（１３）を回転駆動するモータユニット（５）は、アーム（１）の他側面にボルト（１６）により固定される。リクライナー（２）はシートの左右両側に配置されており、この二つのリクライナー（２）のセンターブッシュ（１２）の中心孔を一本の駆動シャフト（１３）が貫通している。モータユニット（５）の出力軸には駆動シャフト（１３）を挿通する挿通孔（１５）を形成してあり、モータユニット（５）の出力軸の回転を駆動シャフトを介して左右のリクライナー（２）のセンターブッシュ（１２）に伝達している。そして、モータユニット（５）の回り止めとして、モータユニット（５）に設けた取付孔を貫通したボルト（１６）が補助プレート（７）とアーム（１）を挿通し、該ボルト（１６）をアーム（１）の一側面側に溶接固定したナット（１７）に螺合してある。
【先行技術文献】
【特許文献】
【０００５】
【特許文献１】特開２００６−３０６１８８号公報
【発明の概要】
【発明が解決しようとする課題】
【０００６】
しかしながら、上述したような構成では、駆動シャフトを回転駆動させるモータユニットが、駆動シャフトを通じてリクライナーを駆動させなければならず、組み付けの点からもユニット化してあり、部品点数も多く、厚みのあるものとなっていた。
【０００７】
本発明は、上述した課題を解決するためになされたものであり、その目的とするところは、部品点数が少なくて厚みを抑えた駆動装置を備えた車両用電動シートのリクライニング駆動装置を提供することにある。
【課題を解決するための手段】
【０００８】
上述した課題を解決するため、請求項１に記載の車両用電動シートのリクライニング駆動装置においては、「乗員が着座するシートクッションと、
前記シートクッションに対して傾動可能なシートバックと、
前記シートクッションのブラケットと、前記シートバックのブラケットとの間に配設され、前記シートバックの角度を保持するリクライニング装置と、
前記リクライニング装置に挿通され、該リクライニング装置を駆動するシャフトを有し、
前記シャフトが挿通される挿通穴が穿設され、前記シャフトを回動させることができる第１の駆動ギヤと、
前記リクライニング装置を駆動するモータの回転を伝達する伝達ギヤと、
前記第１の駆動ギヤと噛み合い、前記伝達ギヤと噛み合っていることにより回動する第２の駆動ギヤと、
前記第１及び第２の駆動ギヤ、伝達ギヤを覆うように、前記シートバックのブラケット及び前記シートクッションのブラケットの何れか一方に取り付けるハウジングを備え、
前記第２の駆動ギヤは、前記シートバックのブラケット及び前記シートクッションのブラケットの何れか一方と前記ハウジングとの各部品に設けられた軸受に軸支される」ことを技術的特徴とする。
【発明の効果】
【０００９】
請求項１に記載の車両用電動シートのリクライニング駆動装置によれば、リクライニング装置を駆動するシャフトに直接第１の駆動ギヤが取り付けられ、モータの回転力を伝える伝達ギヤと第１の駆動ギヤとに噛み合う第２の駆動ギヤが取り付けられ、第１及び第２の駆動ギヤと伝達ギヤを覆うようにシートバックまたはシートクッションのいずれか一方のブラケットにハウジングが取り付けられるようになっているので、ギヤを完全に覆ってしまうユニットに比べ、シートクッションまたはシートバックのブラケットとハウジングでギヤを覆うユニットの役目を果たす事ができるので、部品点数が少なくて済み、ひいてはコスト削減ができるという効果を奏する。
【００１０】
また、第２の駆動ギヤは、前記シートバックのブラケット及び前記シートクッションのブラケットの何れか一方と前記ハウジングとの各部品に設けられた軸受に軸支されるようになっている。このため、新たに軸受を設ける必要もなく、コンパクトなリクライニング駆動装置となっている。
【図面の簡単な説明】
【００１１】
【図１】本発明に掛かるリクライニング駆動装置が適用された車両用電動シートの側面図である。
【図２】本発明に掛かるリクライニング駆動装置の拡大図である。
【発明を実施するための最良の形態】
【００１２】
本発明の実施の形態について図面を参照して詳細に説明する。図１は、本発明に掛かるリクライニング駆動装置が適用された車両用電動シート１００の側面図である。車両用電動シート１００は、乗員が着座するシートクッション１０１と、乗員が着座したときに背もたれとなるシートバック１０２を備えており、シートクッション１０１にはシートクッションブラケット１０１ａが取り付けられ、シートバック１０２にはシートバックブラケット１０２ａが取り付けられている。シートバックブラケット１０２ａは、リクライニング装置１０３を介してシートクッションブラケット１０１ａに取り付けられており、リクライニング装置１０３によって乗員の所望の角度にシートバック１０２を固定することが出来るようになっている。
【００１３】
リクライニング装置１０３はタウメルタイプのリクライニング装置であり、例えば特開２００７−６１１２０号に記載されているようなタイプのものが使用されており、共通化の観点から円盤状にユニット化されている。そして差動伝動機構によるものとしては、円盤状の外歯車と、この外歯車よりわずかに歯数の多い円盤状の内歯車が一部で噛合された状態で、回転軸に嵌められる中央軸筒と、この中央軸筒に対して偏心する中央軸受輪により軸支されていると共に、回転可能な状態で互いの周側部がブラケットにより一体状にリングかしめされており、外歯車の中央軸筒と内歯車の中央軸受輪とによる、内歯車の外側方向が開放された偏心空域には、回転軸と一体状の作動フランジ部と、一側面が外歯車の中央軸筒外周面に、他側面が内歯車の中央軸受輪の内周面に接する一対の楔状部材が並列して配設されていると共に、この両楔状部材のそれぞれを、偏心量を増大させる打ち込み拡径方向に付勢するスプリングが設けられているものであり、そして内歯車の外側面には、前記偏心空域部位を開孔したシートバック側のブラケットが固定され、外歯車の外側面にはシートクッション側のブラケットが固定されるものがある。
【００１４】
図２は、本発明に掛かるリクライニング駆動装置の拡大図である。リクライニング装置１０３には、リクライニング装置１０３を駆動するシャフト１０４が挿通されており、シャフト１０４が回転することでリクライニング装置１０３の角度を乗員の所望の角度まで傾倒させることが可能となっている。シャフト１０４は、断面形状が略星型に形成されており、その凸部が係合することでリクライニング装置１０３を駆動させることができるようになっている。
【００１５】
シャフト１０４の先端には、シートバックブラケット１０２ａ、リクライニング装置１０３、シートクッションブラケット１０１ａが取り付けられており、そのさらに外側にリクライニング装置１０３を駆動する駆動装置であるギヤボックスユニット１が取り付けられている。
【００１６】
ギヤボックスユニット１には、第１の駆動ギヤ２及び第２の駆動ギヤ３、伝達ギヤ４、ハウジング５から構成されている。第１の駆動ギヤ２は円盤状に形成され、中心にはシャフト１０４が挿通される挿通穴２ａが穿設されている。挿通穴２ａは、シャフト１０４と同形状に設けられており、第１の駆動ギヤ２が回動することでシャフト１０４が同期して回転させることができるようになっている。
【００１７】
第２の駆動ギヤ３は、第１の駆動ギヤ２と噛み合う１段目ギヤ３ａと、伝達ギヤ４と噛み合う２段目ギヤ３ｂとを有し、１段目ギヤ３ａ側には第２の駆動ギヤ３の回転軸３ｃが設けられており、この回転軸３ｃはシートクッションブラケット１０１ａに設けられた軸受１０１ｂに回転可能に係合される。２段目ギヤ３ｂ側はハウジング５のギヤ収納部５ａに軸支され、ギヤ収納部５ａ内で伝達ギヤ４と噛み合っている。
【００１８】
伝達ギヤ４は、一端にモータが連結されるモータ連結部４ａが設けられ、モータによってウォームギヤ４ｂが回転されるようになっている。ウォームギヤ４ｂは、ギヤ収納部５ａ内に軸支され、ギヤ収納部５ａ内にて第２の駆動ギヤ３の２段目ギヤ３ｂと噛み合っている。
【００１９】
ハウジング５は、第１の駆動ギヤ２及び第２の駆動ギヤ３を覆うように、シートクッションブラケット１０１ａにボルトによって取付固定される。このように、シートクッションブラケット１０１ａに直接ハウジング５を取り付け、そのハウジング５内にギヤを収納するので、ギヤを内部に完全に収納する従来のユニットに比べて部品点数の削減による小型化・コストダウンをすることができる。
【００２０】
次に動作について説明する。乗員がシートバック１０２を調節したい場合に、車両用電動シート１００に設けられている操作スイッチを操作すると、モータに通電して伝達ギヤ４が回転駆動される。伝達ギヤ４が駆動されると、ハウジング５のギヤ収納部５ａ内で２段目ギヤ３ｂと噛み合っている第２の駆動ギヤ３が回転することになる。第２の駆動ギヤ３が回転すれば１段目ギヤ３ａが回転することとなり、それによって１段目ギヤ３ａと噛み合っている第１の駆動ギヤ２が回転することになる。
【００２１】
第１の駆動ギヤ２が回転すると、シャフト１０４を回転させることができ、これによってリクライニング装置１０３が動作し、シートバック１０２が所望の角度に傾倒することが可能となる。
【符号の説明】
【００２２】
１  ギヤボックスユニット
２  第１の駆動ギヤ
２ａ  挿通穴
３  第２の駆動ギヤ
３ａ  １段目ギヤ
３ｂ  ２段目ギヤ
３ｃ  回転軸
４  伝達ギヤ
４ａ  モータ連結部
４ｂ  ウォームギヤ
５  ハウジング
５ａ  ギヤ収納部
１００  車両用電動シート
１０１  シートクッション
１０１ａ  シートクッションブラケット
１０１ｂ  軸受
１０２  シートバック
１０２ａ  シートバックブラケット
１０３  リクライニング装置
１０４  シャフト
【図１】
2011031733.tif 000003
【図２】
2011031733.tif 000004